(57)【要約】【課題】放送番組などのコンテンツ再生中にゲームなどの別の映像および音声に切り替えた場合において、元のコンテンツの再生状況をユーザーに知覚できるようにする。【解決手段】ＡＶ機器（１０）は、コンテンツ再生部（１３）、アプリケーション実行部（１４）、および映像／音声切替部（１５）を備える。映像／音声切替部（１５）は、ディスプレイ（１１）およびスピーカー（１２）からコンテンツの映像および音声を出力している場合においてゲームリモコン（３０）が操作されたとき、アプリケーションの映像および重畳音声（アプリケーションの音声に音量を絞ったコンテンツの音声を重畳した音声）に切り替え、ディスプレイ（１１）およびスピーカー（１２）からアプリケーションの映像および重畳音声を出力している場合においてテレビリモコン（２０）が操作されたとき、コンテンツの映像および音声に切り替える。【選択図】図２
2016100639.tif 000002
【特許請求の範囲】
【請求項１】
第１のリモコンによって操作され、圧縮符号化されたコンテンツを復号して第１の映像および第１の音声を生成するコンテンツ再生部と、
第２のリモコンによって操作され、アプリケーションプログラムを実行して第２の映像および第２の音声を生成するアプリケーション実行部と、
映像および音声を出力する映像／音声出力部と、
前記第１の映像、前記第１の音声、前記第２の映像、および前記第２の音声を受け、前記映像／音声出力部から出力する映像および音声の切り替えを制御する映像／音声切替部とを備え、
前記映像／音声切替部は、前記映像／音声出力部から前記第１の映像および前記第１の音声を出力している場合において前記第２のリモコンが操作されたとき、前記映像／音声出力部の出力映像および音声を前記第２の映像および第３の音声（ただし、第３の音声は、前記第２の音声に音量を絞った前記第１の音声を重畳した音声である。）に切り替え、かつ、前記映像／音声出力部から前記第２の映像および前記第３の音声を出力している場合において前記第１のリモコンが操作されたとき、前記映像／音声出力部の出力映像および音声を前記第１の映像および前記第１の音声に切り替える、ＡＶ機器。
【請求項２】
前記映像／音声切替部は、前記第１のリモコンの任意のボタンが押下されたとき、前記映像／音声出力部の出力映像および音声を前記第１の映像および前記第１の音声に切り替える、請求項１に記載のＡＶ機器。
【請求項３】
前記映像／音声切替部は、前記第２のリモコンの任意のボタンが押下されたとき、前記映像／音声出力部の出力映像および音声を前記第２の映像および前記第３の音声に切り替える、請求項１または請求項２に記載のＡＶ機器。
【請求項４】
前記映像／音声切替部は、前記映像／音声出力部の出力音声を前記第１の音声から前記第３の音声に切り替える直前に前記第１の音声の音量を記憶しておき、前記映像／音声出力部の出力音声を前記第３の音声から前記第１の音声に戻すときに前記第１の音声の音量を前記記憶した音量に設定する、請求項１ないし請求項３のいずれかに記載のＡＶ機器。
【請求項５】
前記映像／音声切替部は、前記映像／音声出力部の出力音声を前記第３の音声から前記第１の音声に切り替える直前に前記第３の音声の音量を記憶しておき、前記映像／音声出力部の出力音声を前記第１の音声から前記第３の音声に戻すときに前記第３の音声の音量を前記記憶した音量に設定する、請求項１ないし請求項４のいずれかに記載のＡＶ機器。
【請求項６】
前記コンテンツ再生部は、放送信号を受信して所望のチャンネルを選局して放送番組ストリームを取得するチューナーと、前記放送番組ストリームをデコードして前記第１の映像および前記第１の音声を生成するコーデックとを有する、請求項１ないし請求項５のいずれかに記載のＡＶ機器。
【請求項７】
前記コンテンツ再生部は、前記放送番組ストリームを保存する記憶装置をさらに備え、
前記コーデックは、前記記憶装置から読み出された放送番組ストリームをデコードして前記第１の映像および前記第１の音声を生成する、請求項６に記載のＡＶ機器。
【請求項８】
前記第１のリモコンおよび前記第２のリモコンから無線出力されるリモコン信号を受信するリモコン通信部を備えている、請求項１ないし請求項７のいずれかに記載のＡＶ機器。
【発明の詳細な説明】
【技術分野】
【０００１】
本発明は、ＡＶ機器に関し、特に、コンテンツを再生する機能とアプリケーションプログラムを実行する機能を有するＡＶ機器に関する。
【背景技術】
【０００２】
テレビジョン装置等のＡＶ機器は、通常、外部入力端子を有しており、例えば、ゲーム機などの外部機器を接続して外部機器の映像および音声を出力することができる。また、ＡＶ機器の中には、コンテンツを再生する機能とゲームなどのアプリケーションプログラムを実行する機能とを兼ね備えたものがある。
【０００３】
そのようなＡＶ機器では、ユーザーは適宜入力を切り替えて、放送番組を視聴したり、外部機器のゲームを楽しんだりしたりすることができる。例えば、ＡＶ機器（再生システム）に接続されたゲーム機を駆動するだけで、自動的にゲーム機の再生映像を出力するとともにゲーム機の再生音を出力できる再生システムがある（例えば、特許文献１を参照）。
【先行技術文献】
【特許文献】
【０００４】
【特許文献１】特開２００６−１９９４５号公報
【発明の概要】
【発明が解決しようとする課題】
【０００５】
上記のようなＡＶ機器において、例えば、ユーザーが放送番組を視聴中にＣＭに差し掛かった場合にゲーム画面に切り替えてゲームを楽しんでいると、ユーザーはＣＭ区間の終了を知ることができずに放送番組の本編を見逃してしまうことがある。
【０００６】
かかる問題に鑑み、本発明は、放送番組などのコンテンツ再生中にゲームなどの別の映像および音声に切り替えた場合において、元のコンテンツの再生状況をユーザーに知覚できるようにすることを課題とする。
【課題を解決するための手段】
【０００７】
本発明の一局面に従ったＡＶ機器は、第１のリモコンによって操作され、圧縮符号化されたコンテンツを復号して第１の映像および第１の音声を生成するコンテンツ再生部と、第２のリモコンによって操作され、アプリケーションプログラムを実行して第２の映像および第２の音声を生成するアプリケーション実行部と、映像および音声を出力する映像／音声出力部と、前記第１の映像、前記第１の音声、前記第２の映像、および前記第２の音声を受け、前記映像／音声出力部から出力する映像および音声の切り替えを制御する映像／音声切替部とを備え、前記映像／音声切替部は、前記映像／音声出力部から前記第１の映像および前記第１の音声を出力している場合において前記第２のリモコンが操作されたとき、前記映像／音声出力部の出力映像および音声を前記第２の映像および第３の音声（ただし、第３の音声は、前記第２の音声に音量を絞った前記第１の音声を重畳した音声である。）に切り替え、かつ、前記映像／音声出力部から前記第２の映像および前記第３の音声を出力している場合において前記第１のリモコンが操作されたとき、前記映像／音声出力部の出力映像および音声を前記第１の映像および前記第１の音声に切り替えるものである。
【０００８】
これによると、映像／音声出力部の出力映像および音声をコンテンツの映像（第１の映像）および音声（第１の音声）からアプリケーションの映像（第２の映像）および音声（第２の音声）に切り替えたときに、映像／音声出力部から、アプリケーションの音声に音量を絞ったコンテンツの音声が重畳された重畳音声（第３の音声）が出力される。これにより、ユーザーは、アプリケーションを操作しながらも聴覚でコンテンツの再生状況を知覚することができる。
【０００９】
前記映像／音声切替部は、前記第１のリモコンの任意のボタンが押下されたとき、前記映像／音声出力部の出力映像および音声を前記第１の映像および前記第１の音声に切り替えてもよい。また、前記映像／音声切替部は、前記第２のリモコンの任意のボタンが押下されたとき、前記映像／音声出力部の出力映像および音声を前記第２の映像および前記第３の音声に切り替えてもよい。
【００１０】
これによると、コンテンツおよびアプリケーション間での映像および音声への切り替えが容易になり、ユーザーの利便性を向上させることができる。
【００１１】
前記映像／音声切替部は、前記映像／音声出力部の出力音声を前記第１の音声から前記第３の音声に切り替える直前に前記第１の音声の音量を記憶しておき、前記映像／音声出力部の出力音声を前記第３の音声から前記第１の音声に戻すときに前記第１の音声の音量を前記記憶した音量に設定してもよい。また、前記映像／音声切替部は、前記映像／音声出力部の出力音声を前記第３の音声から前記第１の音声に切り替える直前に前記第３の音声の音量を記憶しておき、前記映像／音声出力部の出力音声を前記第１の音声から前記第３の音声に戻すときに前記第３の音声の音量を前記記憶した音量に設定してもよい。
【００１２】
これによると、コンテンツおよびアプリケーション間での映像および音声に切り替え時に、ユーザーが手動で音量を調整することなく自動的に元の音量に戻される。
【００１３】
前記コンテンツ再生部は、放送信号を受信して所望のチャンネルを選局して放送番組ストリームを取得するチューナーと、前記放送番組ストリームをデコードして前記第１の映像および前記第１の音声を生成するコーデックとを有していてもよい。
【００１４】
これによると、コンテンツとして、リアルタイムで受信する放送番組を再生することができる。
【００１５】
前記コンテンツ再生部は、前記放送番組ストリームを保存する記憶装置をさらに備えてもよく、前記コーデックは、前記記憶装置から読み出された放送番組ストリームをデコードして前記第１の映像および前記第１の音声を生成してもよい。
【００１６】
これによると、コンテンツとして、録画した放送番組を再生することができる。
【００１７】
上記ＡＶ機器は、前記第１のリモコンおよび前記第２のリモコンから無線出力されるリモコン信号を受信するリモコン通信部を備えていてもよい。
【００１８】
これによると、ＡＶ機器から少し離れた場所においてもリモコンによるコンテンツ操作およびアプリケーション操作を行うことができる。
【発明の効果】
【００１９】
本発明によれば、放送番組などのコンテンツ再生中にゲームなどの別の映像および音声に切り替えた場合において、元のコンテンツの再生状況をユーザーに聴覚で知覚できるようにすることができる。
【図面の簡単な説明】
【００２０】
【図１】本発明の一実施形態に係るＡＶ機器の外観図である。
【図２】ＡＶ機器の主要構成要素を示すブロック図である。
【図３】コンテンツ再生部の主要構成要素を示すブロック図である。
【図４】出力映像および音声をコンテンツの映像および音声からアプリケーションの映像および音声へと切り替える処理のフローチャートである。
【図５】出力映像および音声をアプリケーションの映像および音声からコンテンツの映像および音声へと切り替える処理のフローチャートである。
【発明を実施するための形態】
【００２１】
以下、図面を参照しながら本発明を実施するための形態について説明する。
【００２２】
図１は、本発明の一実施形態に係るＡＶ機器の外観図である。ＡＶ機器１０は、放送番組などのコンテンツを再生する機能と、ゲームなどのアプリケーションプログラム（以下、単にアプリケーションと称する）を実行する機能とを有する装置である。ＡＶ機器１０は、ディスプレイ１１およびスピーカー１２を備えており、ディスプレイ１１にコンテンツの映像やアプリケーションの実行画面などが表示され、スピーカー１２からコンテンツの音声やアプリケーションのＢＧＭ・効果音などが出力される。
【００２３】
ＡＶ機器１０におけるコンテンツの再生に関する操作はテレビリモコン２０を用いて行うことができる。また、ＡＶ機器１０で実行されるアプリケーションの操作はゲームリモコン３０を用いて行うことができる。
【００２４】
図２は、ＡＶ機器１０の主要構成要素を示すブロック図である。ＡＶ機器１０は、例えば、ディスプレイ１１、スピーカー１２、コンテンツ再生部１３、アプリケーション実行部１４、映像／音声切替部１５、およびリモコン通信部１６を備えている。
【００２５】
ディスプレイ１１は、映像を表示するデバイスであり、例えば、液晶パネルや有機ＥＬパネルでできたフラットパネルディスプレイで構成することができる。スピーカー１２は、音声を出力するデバイスである。スピーカー１２は、ＡＶ機器１０の適当な箇所に１個または複数個配置される。なお、ディスプレイ１１およびスピーカー１２からなる部分が、特許請求の範囲でいう映像／音声出力部に相当する。
【００２６】
コンテンツ再生部１３は、圧縮符号化されたコンテンツを復号してコンテンツの映像および音声を生成する。図３は、コンテンツ再生部１３の主要構成要素を示すブロック図である。コンテンツ再生部１３は、例えば、チューナー１３１、コーデック１３２、および記憶装置１３３を備えている。
【００２７】
チューナー１３１は、地上デジタル放送、ＢＳ／ＣＳデジタル放送、ケーブル放送などの各種放送信号を受信し、ユーザー所望のチャンネルを選局してストリームデータ（放送番組ストリーム）を取得する。
【００２８】
放送番組ストリームには映像信号および音声信号の他に、例えば、字幕データ信号や電子番組ガイド情報などが含まれ得る。これら信号は、ＭＰＥＧ−２やＨ．２６４／ＭＰＥＧ−４  ＡＶＣなどの所定の符号化形式で圧縮符号化されている。コーデック１３２は、チューナー１３１から圧縮符号化されたストリームデータを受けてデコードおよび信号の分離を行い、映像信号と音声信号を出力する。
【００２９】
記憶装置１３３は、放送番組ストリームを記録する装置であり、例えば、ＨＤＤ（Hard Disk Drive）や、ブルーレイ（登録商標）などの光ディスク装置などで構成することができる。放送番組ストリームは、映像信号、音声信号、およびその他の信号（例えば、字幕データ信号など）などからなるデータである。記憶装置１３３においてこれら信号が所定の方式で圧縮符号化されて保存されている。コーデック１３２は、チューナー１３１から受けた放送番組ストリームをそのまま、または、放送番組ストリームをデコードしてさらに別の符号化形式で再エンコードして記憶装置１３３に記録する。
【００３０】
図２へ戻り、アプリケーション実行部１４は、図略の記憶装置に保存されたアプリケーションプログラムを実行してアプリケーションの映像および音声を生成する。アプリケーションは、例えば、ゲームやＳＮＳ（Social Networking Service）などのユーザーが対話的に操作することができる非コンテンツである。アプリケーション実行部１４は、例えば、プログラムを実行するＣＰＵ（Central Processing Unit）で構成することができる。
【００３１】
映像／音声切替部１５は、コンテンツ生成部１３からコンテンツの映像および音声を受け、また、アプリケーション実行部１４からアプリケーションの映像および音声を受け、ディスプレイ１１に表示させる映像およびスピーカー１２から出力させる音声の切り替えを制御する。上述したように、ＡＶ機器１０は、コンテンツ再生機能とアプリケーション実行機構とを備え、ユーザーはそれら機能を切り替えてＡＶ機器１０を使用することができる。映像／音声切替部１５は、それら機能の切り替えに応じて、コンテンツの映像および音声およびアプリケーションの映像および音声を適宜切り替える。
【００３２】
テレビリモコン２０は、コンテンツ再生部１３を操作するリモコンであり、例えば、テレビジョン放送のチャンネル選択用のテンキーやビデオ操作用のボタンを備えている。テレビリモコン２０は、特許請求の範囲でいう第１のリモコンに相当する。
【００３３】
ゲームリモコン３０は、アプリケーション実行部１４を操作するリモコンであり、例えば、十字カーソルキーやジョイスティックや各種ボタンを備えている。ゲームリモコン３０は、特許請求の範囲でいう第２のリモコンに相当する。
【００３４】
テレビリモコン２０およびゲームリモコン３０は、ユーザーによるキー操作やボタン操作に応じて無線のリモコン信号を出力する。リモコン通信部１６は、テレビリモコン２０およびゲームリモコン３０から無線出力されるリモコン信号を受信する。具体的には、リモコン通信部１６は、赤外線通信、ＷｉＦｉ（登録商標）通信、Ｂｌｕｅｔｏｏｔｈ（登録商標）などを用いてテレビリモコン２０およびゲームリモコン３０と通信する。なお、ゲームリモコン３０についてはリモコン通信部１６とケーブルで接続される場合もある。
【００３５】
リモコン通信部１６がテレビリモコン２０およびゲームリモコン３０から受信したリモコン信号は、それぞれ、コンテンツ再生部１３およびアプリケーション実行部１４へ転送される。コンテンツ再生部１３およびアプリケーション実行部１４は、それぞれ、受信したリモコン信号に応じた動作をする。
【００３６】
テレビリモコン２０およびゲームリモコン３０が操作されたことは、リモコン通信部１６から映像／音声切替部１５にも伝達される。後述するように、映像／音声切替部１５は、テレビリモコン２０およびゲームリモコン３０の操作をトリガーとしてディスプレイ１１およびスピーカー１２に出力する映像および音声を切り替える。
【００３７】
次に、映像／音声切替部１５による映像および音声の切り替え処理について説明する。まず、ディスプレイ１１およびスピーカー１２の出力映像および音声を、コンテンツの映像および音声からアプリケーションの映像および音声へと切り替える処理について説明する。
【００３８】
図４は、出力映像および音声をコンテンツの映像および音声からアプリケーションの映像および音声へと切り替える処理のフローチャートである。映像／音声切替部１５は、コンテンツ再生部１３から受けたコンテンツの映像および音声をディスプレイ１１およびスピーカー１２に出力する（Ｓ１１）。これにより、ディスプレイ１１にはコンテンツ再生部１３によって生成された映像（コンテンツの映像）が表示され、スピーカー１２からはコンテンツ再生部１３によって生成された音声（コンテンツの音声）が出力される。
【００３９】
コンテンツ再生部１３によって生成された映像および音声がディスプレイ１１およびスピーカー１２から出力されている状態において、ユーザーがテレビリモコン２０を操作すると（Ｓ１２でＹＥＳ）、リモコン通信部１６は、テレビリモコン２０のリモコン信号を受信してコンテンツ再生部１３へ転送する。また、リモコン通信部１６は、テレビリモコン２０が操作されたことを映像／音声切替部１５に伝達する。
【００４０】
コンテンツ再生部１３は、リモコン通信部１６から転送されたリモコン信号に従って、例えば、テレビチャンネルの切り替え、音量の増減、ビデオ再生の早送り／巻き戻し／一時停止／停止などのユーザー所望の動作をする（Ｓ１３）。このとき、映像／音声切替部１５は、リモコン通信部１６からテレビリモコン２０が操作されたことを伝達されるが、現在、コンテンツ再生部１３によって生成された映像および音声をディスプレイ１１およびスピーカー１２に出力中であるため、映像および音声を切り替えることなく、引き続き、コンテンツ再生部１３によって生成された映像および音声をディスプレイ１１およびスピーカー１２に出力する（Ｓ１１）。
【００４１】
コンテンツ再生部１３によって生成された映像および音声がディスプレイ１１およびスピーカー１２から出力されている状態において、テレビリモコン２０およびゲームリモコン３０がいずれも操作されなければ（Ｓ１２でＮＯ、Ｓ１４でＮＯ）、ディスプレイ１１にはコンテンツ再生部１３によって生成された映像が表示され続け、スピーカー１２からはコンテンツ再生部１３によって生成された音声が出力され続ける。
【００４２】
一方、ユーザーがゲームリモコン３０を操作すると（Ｓ１２でＮＯ、Ｓ１４でＹＥＳ）、リモコン通信部１６は、ゲームリモコン３０の操作があったことを映像／音声切替部１５に伝達する。ここで、リモコン通信部１６は、ゲームリモコン３０の任意のボタンが押下された場合に当該伝達をするようにしてもよい。
【００４３】
映像／音声切替部１５は、リモコン通信部１６からゲームリモコン３０が操作されたことを伝達されると、現在出力中のコンテンツの音声の音量を記憶する（Ｓ１５）。そして、映像／音声切替部１５は、ディスプレイ１１およびスピーカー１２に出力する映像および音声を、アプリケーション実行部１４によって生成された映像および重畳音声へと切り替える（Ｓ１６）。
【００４４】
重畳音声とは、アプリケーション実行部１４によって生成される音声（アプリケーションの音声）に、コンテンツ再生部１３によって再生される音声を音量を絞って重畳した音声のことをいう。このような重畳音声をスピーカー１２から出力することで、ユーザーは、アプリケーションの音声を聴きながら、先ほどまで視聴していたコンテンツの音声も同時に聴くことができる。
【００４５】
なお、後述するように、映像／音声切替部１５は、スピーカー１２に出力する音声を重畳音声からコンテンツの音声に切り替えるときに、現在出力中の重畳音声の音量を記憶している。そこで、映像／音声切替部１５は、スピーカー１２に出力する音声を重畳音声へと切り替えるときに、音量をあらかじめ記憶していた値に設定してもよい（Ｓ１６）。これにより、映像および音声を切り替える度にユーザーが音量を手動で設定することなく、自動で元の音量が設定されるため、ユーザーの利便性を向上することができる。
【００４６】
次に、ディスプレイ１１およびスピーカー１２の出力映像および音声を、アプリケーションの映像および音声からコンテンツの映像および音声へと切り替える処理について説明する。
【００４７】
図５は、出力映像および音声をアプリケーションの映像および音声からコンテンツの映像および音声へと切り替える処理のフローチャートである。映像／音声切替部１５は、アプリケーション実行部１４から受けたアプリケーションの映像および上記の重畳音声をディスプレイ１１およびスピーカー１２に出力する（Ｓ２１）。これにより、ディスプレイ１１にはアプリケーション実行部１４によって生成された映像（アプリケーションの映像）が表示され、スピーカー１２からは、アプリケーション実行部１４によって生成された音声にコンテンツ再生部１３によって生成された音声が重畳された重畳音声が出力される。
【００４８】
アプリケーション実行部１４によって生成された映像および重畳音声がディスプレイ１１およびスピーカー１２から出力されている状態において、ユーザーがゲームリモコン３０を操作すると（Ｓ２２でＹＥＳ）、リモコン通信部１６は、ゲームリモコン３０のリモコン信号を受信してアプリケーション実行部１４へ転送する。また、リモコン通信部１６は、ゲームリモコン３０が操作されたことを映像／音声切替部１５に伝達する。
【００４９】
アプリケーション実行部１４は、リモコン通信部１６から転送されたリモコン信号に従って、ゲームアクションなどのユーザー所望の処理をする（Ｓ２３）。このとき、映像／音声切替部１５は、リモコン通信部１６からゲームリモコン３０が操作されたことを伝達されるが、現在、アプリケーション実行部１４によって生成された映像および重畳音声をディスプレイ１１およびスピーカー１２に出力中であるため、映像および音声を切り替えることなく、引き続き、アプリケーション実行部１４によって生成された映像および重畳音声をディスプレイ１１およびスピーカー１２に出力する（Ｓ２１）。
【００５０】
アプリケーション実行部１４によって生成された映像および重畳音声がディスプレイ１１およびスピーカー１２から出力されている状態において、テレビリモコン２０およびゲームリモコン３０がいずれも操作されなければ（Ｓ２２でＮＯ、Ｓ２４でＮＯ）、ディスプレイ１１にはアプリケーション実行部１４によって生成された映像が表示され続け、スピーカー１２からは重畳音声が出力され続ける。
【００５１】
一方、ユーザーがテレビリモコン２０を操作すると（Ｓ２２でＮＯ、Ｓ２４でＹＥＳ）、リモコン通信部１６は、テレビリモコン２０の操作があったことを映像／音声切替部１５に伝達する。ここで、リモコン通信部１６は、テレビリモコン２０の任意のボタンが押下された場合に当該伝達をするようにしてもよい。
【００５２】
映像／音声切替部１５は、リモコン通信部１６からテレビリモコン２０が操作されたことを伝達されると、現在出力中の重畳音声の音量を記憶する（Ｓ２５）。そして、映像／音声切替部１５は、ディスプレイ１１およびスピーカー１２に出力する映像および音声を、コンテンツ再生部１３によって生成された映像および重畳音声へと切り替える（Ｓ２６）。
【００５３】
なお、上述したように、映像／音声切替部１５は、スピーカー１２に出力する音声をコンテンツの音声から重畳音声に切り替えるときに、現在出力中のコンテンツの音声の音量を記憶している。そこで、映像／音声切替部１５は、スピーカー１２に出力する音声をコンテンツの音声へと切り替えるときに、音量をあらかじめ記憶していた値に設定してもよい（Ｓ２６）。これにより、映像および音声を切り替える度にユーザーが音量を手動で設定することなく、自動で元の音量が設定されるため、ユーザーの利便性を向上することができる。
【００５４】
以上のように、本実施形態によれば、例えば、ユーザーが放送番組を視聴中にＣＭに差し掛かった場合に、ゲームリモコン３０の任意のボタンを押してゲーム画面に切り替えてゲームを楽しみながら視聴していた放送番組の音声をモニターし、音声に基づいて番組本編が始まったことを認識するとテレビリモコン２０の任意のボタンを押して放送番組画面に戻して放送番組の視聴を再開することができる。これにより、放送番組などのＣＭ中に一時的にアプリケーションの映像および音声に切り替えた場合において、放送番組本編の開始の見逃しを防止することができる。
【００５５】
なお、本発明は上記実施の形態の構成に限られず種々の変形が可能である。図１ないし図５を用いて上記実施形態により示した構成および処理は、本発明の一実施形態に過ぎず、本発明を当該構成および処理に限定する趣旨ではない。
【符号の説明】
【００５６】
１０      ＡＶ機器
１１      ディスプレイ（映像／音声出力部）
１２      スピーカー（映像／音声出力部）
１３      コンテンツ再生部
１３１    チューナー
１３２    コーデック
１３３    記憶装置
１４      アプリケーション実行部
１５      映像／音声切替部
１６      リモコン通信部
２０      テレビリモコン（第１のリモコン）
３０      ゲームリモコン（第２のリモコン）
【図１】
2016100639.tif 000003
【図２】
2016100639.tif 000004
【図３】
2016100639.tif 000005
【図４】
2016100639.tif 000006
【図５】
2016100639.tif 000007